(57)【要約】【課題】暖房立上り運転時や除霜運転時において暖房能力を増大させることができ快適性を向上させることができる空気調和機を提供すること。【解決手段】冷媒あるいは空気を加熱するヒータと、空気調和機の運転電流を検出する電流検出手段を設け、電流検出手段により空気調和機の運転電流を検出し、電源回路の制限電流値までヒータへの通電デューティを制御するようにした。【選択図】  図４
2004205071.tif 000002
【特許請求の範囲】
【請求項１】
室外機に設けられた圧縮機、四方弁、室外熱交換器、第１の減圧器と、室内機に設けられた室内熱交換器を冷媒配管で順次接続して冷凍サイクルを構成した空気調和機において、
冷媒あるいは空気を加熱するヒータと、空気調和機の運転電流を検出する電流検出手段をさらに備え、該電流検出手段により空気調和機の運転電流を検出し、電源回路の制限電流値まで前記ヒータへの通電デューティを制御することを特徴とする空気調和機。
【請求項２】
前記圧縮機の吐出冷媒配管と吸入冷媒配管とを第１の二方弁と第２の減圧器を介して接続する第１のバイパス回路をさらに備えたことを特徴とする請求項１に記載の空気調和機。
【請求項３】
前記第１の減圧器と前記室外熱交換器とを接続する冷媒配管と、前記圧縮機の吐出冷媒配管とを第２の二方弁を介して接続する第２のバイパス回路をさらに備えたことを特徴とする請求項２に記載の空気調和機。
【請求項４】
前記ヒータが冷凍サイクルを流れる高圧冷媒を加熱することを特徴とする請求項１乃至３のいずれか１項に記載の空気調和機。
【請求項５】
前記ヒータが冷凍サイクルを流れる低圧冷媒を加熱することを特徴とする請求項１乃至３のいずれか１項に記載の空気調和機。
【請求項６】
前記ヒータが前記室内機から吹出される空気を加熱することを特徴とする請求項１乃至３のいずれか１項に記載の空気調和機。
【請求項７】
前記ヒータが前記室内機の全面パネルに設けられた赤外線を放射する輻射ヒータで、該輻射ヒータにより輻射暖房を行なうことを特徴とする請求項１乃至３のいずれか１項に記載の空気調和機。
【請求項８】
前記室内機に人体検出手段を設けるとともに前記輻射ヒータを駆動する出力手段を設け、赤外線の放射方向を、前記人体検出手段により検出された人体に向けるように制御することを特徴とする請求項７に記載の空気調和機。
【発明の詳細な説明】
【０００１】
【発明の属する技術分野】
本発明は、ヒータを備えた空気調和機のヒータ通電デューティ制御に関し、特に暖房運転時の暖房能力増加と快適性の向上を図ることのできる空気調和機に関する。
【０００２】
【従来の技術】
図１３は従来の空気調和機を示しており、圧縮機１０１、四方弁１０２、室外熱交換器１０３、減圧器１０４を備えた室外機１０８と、室内熱交換器１０５を備えた室内機１０９とを冷媒配管で順次接続して冷凍サイクルを構成している。また、圧縮機１０１の吸入側には、冷媒圧力を検出し冷媒圧力が異常低下した時に作動する圧力スイッチ１０６が設けられ、室内熱交換器１０５には、室内熱交換器１０５を加熱する電気ヒータ１０７が設けられている。
【０００３】
このような構成の空気調和機における通常の暖房運転では、圧縮機１０１の運転が開始すると、高温、高圧のガス冷媒は、四方弁１０２を通過して室内熱交換器１０５で放熱・凝縮し高圧の液冷媒となる。液冷媒は、減圧器１０４で減圧されて低温低圧の気液二相冷媒となり、室外熱交換器１０３で吸熱・蒸発してガス冷媒となった後、圧縮機１０１に吸入される。
【０００４】
しかしながら、室外機１０８に比べ室内機１０９が低い位置に配置されているような場合、除霜運転が終了し暖房運転が再び開始された時に、室内機１０９に液冷媒が溜まり込み、圧縮機１０１の吸込側の冷媒が不足して、冷媒圧力が異常低下し、圧力スイッチ１０６が作動して圧縮機１０１が停止することがある。
【０００５】
そこで、上記従来の空気調和器にあっては、除霜運転終了後に圧縮機１０１を停止させ、暖房運転が再開されるまでの圧縮機１０１の運転停止中に、電気ヒータ１０７へ通電して、室内機１０９側の冷媒を室外機１０８側に戻しており、このようにして、暖房運転開始時に、冷凍サイクルの低圧側、すなわち圧縮機１０１の吸入側の冷媒量が不足して圧縮機１０１の吸入側の冷媒圧力が異常低下するのを防止している（例えば、特許文献１参照。）。
【０００６】
【特許文献１】
特開平８−２５４３６２号公報（第７−８頁、第４図）
【０００７】
【発明が解決しようとする課題】
しかしながら、上記従来の空気調和機にあっては、電気ヒータへの通電は一定であり、十分に加熱できない場合や、冷媒圧力は低いがあまり低圧ではない場合冷媒循環量が多く、電気ヒータへ通電すると電源の電流制限値を超えてしまう可能性があった。
【０００８】
また、暖房立上り運転時は室内熱交換器が室温と同じ温度になっており、圧縮機で圧縮され高温・高圧になった冷媒により室内熱交換器の温度が設定温度まで上昇した後、室内機の送風機を運転して暖房運転を開始するため、運転スイッチを入れた後すぐに暖房運転を開始することはできない。
【０００９】
さらに、暖房運転開始時に暖房能力を増大させるためには、回転数可変の圧縮機の場合、圧縮機の運転周波数を増大して、電源回路の制限電流（例えば２０Ａ）まで圧縮仕事を行なう必要がある。しかしながら、圧縮機に吸入される冷媒の圧力が低いため冷媒循環量もあまり増大せず、圧縮仕事が小さく、電源回路の制限電流より低い電流値（例えば１０Ａ）で運転されることになり、十分に暖房能力を増大させることができない。
【００１０】
また、室外気温が低い場合、室外熱交換器に着霜して暖房能力が低下するため、暖房運転を中断して除霜運転を行なう必要があるが、この場合、室温が低下し、快適性の低下を招くことがある。さらに、四方弁を切り替えて除霜運転を行なう場合、室内熱交換器が蒸発器となり、室内側から吸熱するようになるが、室内温度を低下させないために、室内機の送風機を停止させている。この除霜運転時の主な熱源は圧縮機消費電力であるが、圧縮機の吸入圧力が低下して、圧縮機消費電力入力が増大せず、運転電流も低く（例えば１０Ａ）、除霜運転が長くなり、室温が低下する場合もあった。
【００１１】
本発明は、従来技術の有するこのような問題点に鑑みてなされたものであり、暖房立上り運転時や除霜運転時において暖房能力を増大させることができ快適性を向上させることができる空気調和機を提供することを目的としている。
【００１２】
【課題を解決するための手段】
上記目的を達成するために、本発明のうちで請求項１に記載の発明は、室外機に設けられた圧縮機、四方弁、室外熱交換器、第１の減圧器と、室内機に設けられた室内熱交換器を冷媒配管で順次接続して冷凍サイクルを構成した空気調和機において、冷媒あるいは空気を加熱するヒータと、空気調和機の運転電流を検出する電流検出手段をさらに備え、該電流検出手段により空気調和機の運転電流を検出し、電源回路の制限電流値まで前記ヒータへの通電デューティを制御することを特徴とする。
【００１３】
また、請求項２に記載の発明は、前記圧縮機の吐出冷媒配管と吸入冷媒配管とを第１の二方弁と第２の減圧器を介して接続する第１のバイパス回路をさらに備えたことを特徴とする。
【００１４】
さらに、請求項３に記載の発明は、前記第１の減圧器と前記室外熱交換器とを接続する冷媒配管と、前記圧縮機の吐出冷媒配管とを第２の二方弁を介して接続する第２のバイパス回路をさらに備えたことを特徴とする。
【００１５】
また、請求項４に記載の発明は、前記ヒータが冷凍サイクルを流れる高圧冷媒を加熱することを特徴とする。
【００１６】
また、請求項５に記載の発明は、前記ヒータが冷凍サイクルを流れる低圧冷媒を加熱することを特徴とする。
【００１７】
また、請求項６に記載の発明は、前記ヒータが前記室内機から吹出される空気を加熱することを特徴とする。
【００１８】
また、請求項７に記載の発明は、前記ヒータが前記室内機の全面パネルに設けられた赤外線を放射する輻射ヒータで、該輻射ヒータにより輻射暖房を行なうことを特徴とする。
【００１９】
また、請求項８に記載の発明は、前記室内機に人体検出手段を設けるとともに前記輻射ヒータを駆動する出力手段を設け、赤外線の放射方向を、前記人体検出手段により検出された人体に向けるように制御することを特徴とする。
【００２０】
【発明の実施の形態】
以下、本発明の実施の形態について、図面を参照しながら説明する。
実施の形態１．
図１は本発明の実施の形態１にかかる空気調和機を示しており、室外機８に設けられた回転数可変の圧縮機１、四方弁２、室外熱交換器３、減圧器４と、室内機９に設けられた室内熱交換器５を冷媒配管で順次接続して冷凍サイクルを構成している。また、室外機８には、室外熱交換器３に空気を送る室外送風機６が設けられており、室内機９には、室内熱交換器５に空気を送る室内送風機７と室内温度を検出する室内温度センサ等の室内温度検出手段１１が設けられている。さらに、圧縮機１の吐出冷媒配管にはヒータ１０が取り付けられており、圧縮機１から吐出された高圧冷媒を加熱するようにしている。
【００２１】
図２は図１に示す空気調和機の電気回路図である。
図２に示されるように、圧縮機１、ヒータ１０等の機器を制御するためのマイクロコンピュータ等の制御手段２３は、運転スイッチ２０に接続されるとともに、制御手段２３内には、入力回路２４、ＣＰＵ２５、メモリ等の記憶手段２６、出力回路２７が設けられており、圧縮機１及びヒータ１０は出力回路２７からの出力により制御される。また、空気調和機の運転電流Ｉを検出する電流検出器等の電流検出手段２１からの出力及び室内温度検出手段１１からの出力は、Ａ／Ｄ変換装置２２ａ，２２ｂを介して入力回路２４にそれぞれ入力される。なお、電流検出手段２１は、例えば圧縮機１の駆動電源プリント基盤に設けられる。
【００２２】
図３は図２に示される電気回路図のブロック図を示しており、図３に示されるように、制御手段２３は、室内温度検出手段１１からの出力信号とリモコン等の室内温度設定手段２８により設定された室内温度設定値とを比較し制御信号を出力する比較手段２９と、電流検出手段２１からの出力信号と記憶手段２６に記憶された制御電流設定値とを比較し制御信号を出力する比較手段３０と、圧縮機１の運転周波数を検出する圧縮機周波数検出手段３１からの出力信号と記憶手段２６に記憶された圧縮機周波数設定値とを比較し制御信号を出力する比較手段３２と、比較手段２９，３０，３２からの出力信号に応答して、記憶手段２６に記憶された複数の出力モードの中から一つの出力モードを選択する選択手段３３とを備えており、選択手段３３からの出力信号が圧縮機１、ヒータ１０等の出力手段に入力されて、各出力手段の制御が行われる。
【００２３】
暖房立ち上がり運転等の圧縮機１の運転開始直後においては、室内温度が低下しており、圧縮機１の運転周波数を増加させ、電源回路の制限電流（例えば２０Ａ）まで圧縮仕事を行なって冷媒循環量を増加させ、暖房能力を増大させる必要がある。しかしながら、従来の空気調和機にあっては、圧縮機１に吸入される冷媒の圧力が低下しており、冷媒の比容積が大きいので、冷媒循環量が増加せず、圧縮機１の消費電力も増加しない。
【００２４】
そこで、本発明にかかる空気調和機おいては、電流検出手段２１により空気調和機の運転電流値Ｉを検出し、運転電流値Ｉが電源回路の制限電流値Ｉｍａｘ（例えば２０Ａ）より低い場合は、制限電流値Ｉｍａｘまでヒータ１０への通電デューティを増加させる。これにより、圧縮機１の消費電力が低い場合、空気調和機の運転電流Ｉが電源回路の制限電流値Ｉｍａｘに達するまでヒータ１０に通電することができる。ヒータ１０は圧縮機１の吐出冷媒配管を加熱するように取り付けられていることから、吐出冷媒配管を循環する冷媒が加熱されるので、運転スイッチ２０を入れて温風を吹出し暖房運転を開始するまでの停止時間の短縮、暖房能力の増大、快適性の向上を図ることができる。
【００２５】
また、暖房運転時に室外気温が低い場合、室外熱交換器３に着霜し、暖房能力が低下するため、暖房運転を中断し除霜運転を行なう必要がある。四方弁２を切り替えて除霜運転を行なう場合、室内熱交換器５が蒸発器となり、室内側から吸熱するようになるが、室内温度を低下させないために、室内送風機７を停止させている。そのため、圧縮機１の吸入圧力が低下して、圧縮機１の消費電力が増加しない。
【００２６】
そこで、本発明にかかる空気調和機おいては、電流検出手段２１により空気調和機の運転電流値Ｉを検出し、運転電流値Ｉが電源回路の制限電流値Ｉｍａｘ（例えば２０Ａ）より低い場合は、制限電流値Ｉｍａｘまでヒータ１０への通電デューティを増加させるようにしている。これにより、除霜運転時、圧縮機１の消費電力が低い場合、空気調和機の運転電流Ｉが電源回路の制限電流値Ｉｍａｘに達するまでヒータ１０に通電することができる。ヒータ１０により圧縮機１の吐出冷媒配管を加熱することで、吸熱量を増加させることができるため、室外熱交換器３の着霜を素早く溶かし除霜運転時間を短縮することができ、室温の低下及び快適性の低下を防止することができる。
【００２７】
上述した構成の本発明にかかる空気調和機の運転時の制御と動作を図４を参照しながら以下説明する。図４は制御手段２３の記憶手段２６に記憶された空気調和機のプログラムを示すフローチャートである。
【００２８】
運転スイッチ２０のＯＮ信号が出力された後、ステップＳ１において室内温度設定値Ｔが入力されると、ステップＳ２において、室内温度設定値Ｔと室内温度検出手段１１により検出された室内温度Ｔａとを比較演算し、Ｔ≧Ｔａの場合（ステップＳ２の判定がＹＥＳ）、ステップＳ３に移行し、圧縮機１の運転を開始する。一方、Ｔ＜Ｔａの場合（ステップＳ２の判定がＮＯ）、ステップＳ２に戻り室内温度Ｔａのモニタリングが継続される。
【００２９】
ステップＳ３において圧縮機１の運転が開始すると、ステップＳ４において、室内温度Ｔａが室内温度設定値Ｔになるように圧縮機１の周波数Ｆを増減させる制御を行う。
【００３０】
ステップＳ５では、除霜運転中か否かを判断し、除霜運転中であれば（ステップＳ５の判定がＹＥＳ）、ステップＳ６において、制限電流値Ｉｍａｘ（例えば２０Ａ）と電流検出手段２１により検出された空気調和機の運転電流値Ｉとが比較演算される。一方、除霜運転中でなければ（ステップＳ５の判定がＮＯ）、ステップＳ７において、圧縮機周波数設定値Ｆ１と圧縮機周波数検出手段３１により検出された圧縮機周波数Ｆとが比較演算され、Ｆ≧Ｆ１であれば（ステップＳ７の判定がＹＥＳ）、ステップＳ６に進み、Ｆ＜Ｆ１であれば（ステップＳ７の判定がＮＯ）、ステップＳ４に戻る。
【００３１】
ステップＳ６において、Ｉｍａｘ≧Ｉの場合（ステップＳ６の判定がＹＥＳ）、ステップＳ８に進む一方、Ｉｍａｘ＜Ｉの場合（ステップＳ６の判定がＮＯ）、ステップＳ９に進む。ステップＳ８では、制御手段２３の選択手段３３により記憶手段２６の第１のモードが選択され、出力回路２７によりヒータ１０への通電デューティをΔＩ増加させるように制御し、ステップＳ２に戻る。一方、ステップＳ９では、制御手段２３の選択手段３３により記憶手段２６の第２のモードが選択され、出力回路２７によりヒータ１０への通電デューティをΔＩ減少させるように制御し、ステップＳ２に戻る。
【００３２】
上述したように、ヒータ１０への通電デューティを制御する運転モードを持つことにより、暖房立ち上がり時等において圧縮機１の周波数が高く、運転電流値Ｉが電源回路の制限電流値Ｉｍａｘ（例えば２０Ａ）より低い場合に、制限電流値Ｉｍａｘまでヒータ１０への通電デューティを増加させることにより、暖房能力を増大させることができる。したがって、運転スイッチ２０を入れ温風を吹出し暖房運転を開始するまでの時間の短縮や快適性の向上を図ることができる。さらに、除霜運転時に吸熱量を増加させることができるため、除霜運転時間を短縮し、快適性の低下を防止することができる。
【００３３】
なお、上記実施の形態においては、ヒータ１０への通電デューティを段階的に変化させる場合を説明したが、ヒータ１０への通電デューティをさらに多くのステップで変化させたり、無段階に変化させることもできる。
【００３４】
また、上記構成においては、四方弁２を切り替えて除霜運転を行なう場合を説明したが、図５に示されるように、圧縮機１の吐出冷媒配管と吸入冷媒配管を二方弁１５と第２の減圧器１６を介して接続したバイパス回路１７を設けることもできる。
【００３５】
さらに詳述すると、バイパス回路１７を設けた場合、除霜運転時に第１の減圧器４を開くとともに、二方弁１５を開いて第１のバイパス回路１７に圧縮機１の吐出冷媒の一部を流すように設定する。第１の減圧器４を開くことにより室内熱交換器５、室外熱交換器３の両方に高温高圧のガス冷媒が流れ、室内及び室外熱交換器５，３が凝縮器として作用する。すなわち、制御手段２３により室内送風機７が低速運転するように制御すると、室内熱交換器５において吐出冷媒の一部が凝縮するので、暖房運転を継続しながら、室外熱交換器３にも高温高圧の冷媒を流すことで、室外熱交換器３の温度が上昇し、除霜運転を行なうことができる。
【００３６】
この場合、室外熱交換器３で冷媒は液化するが、蒸発器として作用する熱交換器が無いため、圧縮機１に液冷媒が戻ってしまう。しかしながら、二方弁１５を開き第１のバイパス回路１７に圧縮機１の吐出冷媒の一部を流すことにより、圧縮機１から吐出されるガス冷媒と、室外熱交換器３で凝縮した液冷媒が混合し、圧縮機１に吸入される冷媒の乾き度が上昇する。したがって、圧縮機１への液冷媒の吸入が防止され、圧縮機１の信頼性を保つことができる。
【００３７】
さらに、図６に示されるように、二方弁１５と第２の減圧器１６とを有するバイパス回路１７に加えて、第１の減圧器４と室外熱交換器３とを接続する冷媒配管と圧縮機１の吐出冷媒配管を第２の二方弁１８を介して接続する第２のバイパス回路１９を設けることもできる。
【００３８】
この場合、除霜運転時に第１の二方弁１５と第２の二方弁１８を開き、第１のバイパス回路１７に圧縮機１の吐出冷媒の一部を流すとともに、室内機９にも吐出冷媒を流して暖房運転を継続しながら、圧縮機１の吐出冷媒を第２のバイパス回路１９を介して室外熱交換器３に流して、除霜運転を行なうことができる。
【００３９】
上述したように、暖房運転を継続しながら除霜運転を行なう場合、室内熱交換器５は蒸発器として作用しないため、圧縮機の圧縮比が小さく消費電力は低くなる。この時、電源回路の制限電流値までヒータ１０への通電デューティを制御することにより、暖房能力が増大し、快適性の向上を図ることができる。
【００４０】
また、ヒータ１０は圧縮機１の吐出冷媒配管を加熱するように取り付けられているが、室内機９の室内熱交換器５の配管にヒータを取り付けても、同様の効果を奏することができる。
【００４１】
さらに、ヒータ１０を圧縮機１の吸入冷媒配管に取り付け低圧冷媒を加熱するようにすることもできる。この場合、暖房運転開始時に吸熱量が増加して圧縮機１の吸入圧力が上昇し、冷媒循環量が増加するので、室内熱交換器５の温度を素早く上昇させることができ、運転スイッチ２０を入れ温風を吹出し暖房運転を開始するまでの停止時間時間を短縮できる。さらに、冷媒循環量が増加するので、除霜運転時間が短縮し、快適性の低下を防止することができる。
【００４２】
実施の形態２．
図７は本発明の実施の形態２にかかる空気調和機を示しており、ヒータ１０Ａを室内機９に取り付け、ヒータ１０Ａにより室内機９の吹出し空気を加熱するようにした点で、図１に示される実施の形態１にかかる空気調和機と相違している。
【００４３】
実施の形態２にかかる空気調和機の電気回路図、ブロック図、フローチャートは図２〜図４と同じであり動作も同じであるので、その説明は省略する。
【００４４】
この構成によれば、ヒータ１０Ａにより室内機９から吹出される空気が加熱されるので、運転スイッチ２０を入れた直後に温風を吹出し暖房運転を開始することができるとともに、暖房能力の増大、快適性の向上を図ることができる。さらに、除霜運転時においても温風を吹出し暖房運転を継続することができるので、快適性の低下を防止することができる。
【００４５】
四方弁２を切り替えて除霜運転を行なう場合、ヒータ１０Ａにより加熱される室内機９の吹出し空気は、室内熱交換器５を流れないようにヒータ１０Ａと風路を配置することで、蒸発器として作用する室内熱交換器５による温風の温度低下を防止することができる。
【００４６】
また、本実施の形態においても、図５に示されるようなバイパス回路１７を設けることもでき、図６に示されるように、第１のバイパス回路１７に加えて第二のバイパス回路１９を設けることもできる。なお、バイパス回路１７を設けた場合あるいは第１及び第２のバイパス回路１７，１９を設けた場合の除霜運転時の操作については実施の形態１と同じなので、その説明は省略する。
【００４７】
実施の形態３．
図８は本発明の実施の形態３にかかる空気調和機を示しており、赤外線を放射し、輻射暖房を行なう輻射ヒータ１０Ｂを室内機９の全面パネルに設けた点で、図１に示される実施の形態１にかかる空気調和機と相違している。
【００４８】
実施の形態３にかかる空気調和機の電気回路図、ブロック図、フローチャートは図２〜図４と同じであり動作も同じであるので、その説明は省略する。
【００４９】
この構成によれば、輻射ヒータ１０Ｂは室内機９の全面パネルに設けてあり、赤外線を放射し、輻射暖房を行なうことができるため、運転スイッチ２０を入れた直後に輻射暖房運転を開始することができる。輻射暖房は、離れている人に対しても輻射熱を直接伝達できるので、同じ暖房能力であれば、温風暖房と比べより快適性を向上させることができる。さらに、除霜運転時においても輻射暖房運転できるので、さらに快適性を向上させることができる。
【００５０】
実施の形態４．
図９は本発明の実施の形態４にかかる空気調和機を示しており、赤外線を放射し、輻射暖房を行なう輻射ヒータ１０Ｂを室内機９の全面パネルに設けた点は、図８に示される実施の形態３にかかる空気調和機と同じであるが、室内の人を検出する人体検出センサ等の人体検出手段１３と、人の方向に輻射ヒータ１０Ｂからの赤外線の放射方向を変えるヒータ駆動部１４を設けた点において、実施の形態３にかかる空気調和機と相違している。
【００５１】
図１０は図９に示される空気調和機の電気回路図であり、人体検出手段１３の出力がＡ／Ｄ変換装置２２ｃを介して入力回路２４に入力され、出力回路２７からの出力を受けてヒータ駆動部１４により輻射ヒータ１０Ｂから放射される赤外線の放射方向を制御するようにしている。その他の構成は、図２に示される電気回路図と同じなので、その説明は省略する。
【００５２】
また、図１１は図１０に示される電気回路図のブロック図を示しており、制御手段２３には図９の輻射ヒータ１０Ｂの赤外線の放射方向を制御する出力モードを記憶した記憶手段２６と、人体検出手段１３からの出力信号に応答して、記憶手段２６に記憶された複数の出力モードの中から一つの出力モードを選択する選択手段３３とを備えており、選択手段３３からの出力信号が圧縮機１、ヒータ１０、ヒータ駆動部１４等の出力手段に入力されて、各出力手段の制御が行われる。その他の構成は、図３に示されるブロック図と同じなので、その説明は省略する。
【００５３】
上述した構成の本発明にかかる空気調和機の運転時の制御と動作を図１２を参照しながら以下説明する。図１２は制御手段２３の記憶手段２６に記憶された空気調和機のプログラムを示すフローチャートである。
【００５４】
このフローチャートが図４に示されるフローチャートと異なるのはステップＳ８及びステップＳ９において、輻射ヒータ１０Ｂの出力を制御した後に、ステップＳ１０に進み、人体検出手段１３により人体を検出し、ヒータ駆動部１４を制御して、輻射ヒータ１０Ｂの赤外線の放射方向を人体の方向に制御するように構成した点である。
【００５５】
本実施の形態においては、赤外線を放射して輻射暖房を行なう輻射ヒータ１０Ｂは室内機９の全面パネルに設けられており、また、人体検出手段１３により人体を検出して、人体を検出した方向に輻射ヒータ１０Ｂの赤外線の放射方向を制御するようにしている。したがって、運転スイッチ２０を入れた直後に輻射暖房運転を開始することができるばかりでなく、人体に向けて輻射暖房ができるので、温風暖房に比べより快適性を向上させることができる。また、除霜運転時においても輻射暖房運転を行えるので、さらに快適性を向上させることができる。
【００５６】
【発明の効果】
本発明は、以上説明したように構成されているので、以下に記載されるような効果を奏する。
本発明によれば、冷媒あるいは空気を加熱するヒータと、空気調和機の運転電流を検出する電流検出手段を設け、電流検出手段により空気調和機の運転電流を検出し、電源回路の制限電流値までヒータへの通電デューティを制御するようにしたので、圧縮機消費電力が低い場合でも、電源回路の制限電流値までヒータに通電することができ、運転スイッチを入れ温風を吹出し暖房運転を開始するまでの時間の短縮、暖房能力の増大、快適性の向上を図ることができる。
【００５７】
また、圧縮機の吐出冷媒配管と吸入冷媒配管とを第１の二方弁と第２の減圧器を介して接続する第１のバイパス回路を設けたので、除霜運転時に第１の二方弁を開制御して第１のバイパス回路に圧縮機の吐出冷媒の一部を流すとともに、室内機にも圧縮機からの吐出冷媒を流すことで、暖房運転を継続しながら室外熱交換器の除霜運転を行なうことができ、暖房能力の増大、快適性の向上を図ることができる。
【００５８】
さらに、第１の減圧器と室外熱交換器とを接続する冷媒配管と、圧縮機の吐出冷媒配管とを第２の二方弁を介して接続する第２のバイパス回路をさらに設けると、除霜運転時に第１のバイパス回路に圧縮機の吐出冷媒の一部を流すと同時に、室内機にも吐出冷媒の一部を流して暖房運転を継続しながら、第２のバイパス回路の第２の二方弁を開制御することで、圧縮機からの吐出冷媒を室外熱交換器に流して除霜運転を行なうことができる。
【００５９】
また、冷凍サイクルを流れる高圧冷媒を加熱するようにヒータを設けることにより、暖房運転開始時に吸熱量が増加し、室内熱交換器の温度を素早く上昇させることができ、運転スイッチを入れ温風を吹出し暖房運転を開始するまでの時間を短縮することができる。さらに、四方弁を切り替えて除霜運転を行なう場合は、吸熱量を増加させて、除霜運転時間を短縮することができ、快適性の低下を防止することができる。
【００６０】
あるいは、冷凍サイクルを流れる低圧冷媒を加熱するようにヒータを設けると、暖房運転開始時に吸熱量が増加して圧縮機吸入圧力を上昇させることができ、冷媒循環量を増加させることができるので、室内熱交換器の温度を素早く上昇させることができ、運転スイッチを入れ温風を吹出し暖房運転を開始するまでの停止時間時間を短縮することができる。さらに、除霜運転時に吸熱量を増加させることができるので、除霜運転時間が短縮し、暖房能力の増大、快適性の低下を防止することができる。
【００６１】
また、室内機から吹出される空気を加熱するようにヒータを設けたり、室内機の全面パネルに設けられた赤外線を放射する輻射ヒータにより輻射暖房を行なうようにすると、運転スイッチを入れた直後に暖房運転を開始することができる。さらに、除霜運転時においても暖房運転できるため、快適性を向上させることができる。
【００６２】
また、室内機に人体検出手段を設けるとともに輻射ヒータを駆動する出力手段を設け、赤外線の放射方向を、人体検出手段により検出された人体に向けるように制御すると、暖房運転開始時や除霜運転時に人体に向けた輻射暖房運転できるため、さらに快適性を向上させることができる。
【図面の簡単な説明】
【図１】本発明の実施の形態１にかかる空気調和機の構成図である。
【図２】図１の空気調和機の電気回路図である。
【図３】図１の空気調和機のブロック図である。
【図４】図１の空気調和機の制御と動作を示すフローチャートである。
【図５】図１の空気調和機の変形例を示す構成図である。
【図６】図１の空気調和機の別の変形例を示す構成図である。
【図７】本発明の実施の形態２にかかる空気調和機の構成図である。
【図８】本発明の実施の形態３にかかる空気調和機の構成図である。
【図９】本発明の実施の形態４にかかる空気調和機の構成図である。
【図１０】図９の空気調和機の電気回路図である。
【図１１】図９の空気調和機のブロック図である。
【図１２】図９の空気調和機の制御と動作を示すフローチャートである。
【図１３】従来の空気調和機の構成図である。
【符号の説明】
１  圧縮機、  ２  四方弁、  ３室外熱交換器、  ４  減圧器、
５  室内熱交換器、  ６  室外送風機、  ７  室内送風機、  ８  室外機、
９  室内機、  １０，１０Ａ  ヒータ、  １０Ｂ  輻射ヒータ、
１１  室内温度検出手段、  １３  人体検出手段、  １４  ヒータ駆動部、
１５  二方弁、  １６  第２の減圧器、  １７  第１のバイパス回路、
１８  第２の二方弁、  １９  第２のバイパス回路、  ２０  運転スイッチ、
２１  電流検出手段、  ２２ａ，２２ｂ，２２ｃ  Ａ／Ｄ変換装置、
２３  制御手段、  ２４  入力回路、  ２５  ＣＰＵ、  ２６  記憶手段、
２７  出力回路、  ２８  室内温度設定手段、  ２９，３０，３２  比較手段、
３１  圧縮機周波数検出手段、  ３３  選択手段。
【図１】
2004205071.tif 000003
【図２】
2004205071.tif 000004
【図３】
2004205071.tif 000005
【図４】
2004205071.tif 000006
【図５】
2004205071.tif 000007
【図６】
2004205071.tif 000008
【図７】
2004205071.tif 000009
【図８】
2004205071.tif 000010
【図９】
2004205071.tif 000011
【図１０】
2004205071.tif 000012
【図１１】
2004205071.tif 000013
【図１２】
2004205071.tif 000014
【図１３】
2004205071.tif 000015